(57)【要約】【課題】ボウルが万が一破損した場合であってもより安全性を確保すると共に、有効な収納スペースも確保することができる水回りキャビネットを提供すること。【解決手段】この水回りキャビネットとしての化粧台キャビネットＬＤは、洗面器Ｌと、洗面器Ｌを支持固定するためのキャビネット本体ＣＢとを備え、キャビネット本体ＣＢは、洗面器Ｌを支持し設置面に立設される一対の側方支持部材３５，３５と、その一対の側方支持部材３５，３５を繋ぐように設けられる連結部材１０とを有し、連結部材１０は、洗面器Ｌの手前側Ｌａの外表面に沿って形成される方向付け部１０１と、手前側に開口された収納部とを有する。【選択図】図１
2011072484.tif 000002
【特許請求の範囲】
【請求項１】
水栓から吐出される水を受けるボウルを含む水受部と、その水受部を支持固定するためのキャビネット本体とを備える水回りキャビネットであって、
前記キャビネット本体は、前記水受部を支持し設置面に立設される一対の側方支持部材と、その一対の側方支持部材を繋ぐように設けられる連結部材とを有し、
前記連結部材は、前記ボウルの手前側の外表面に沿って形成される方向付け部と、手前側に開口された収納部とを有することを特徴とする水回りキャビネット。
【請求項２】
前記収納部は、前記一対の側方支持部材に沿って設けられる一対の側方立壁と、その一対の側方立壁の間に設けられる中間立壁とを有し、
前記中間立壁の幅は前記一対の側方立壁それぞれの幅よりも広くなるように形成されていることを特徴とする請求項１に記載の水回りキャビネット。
【発明の詳細な説明】
【技術分野】
【０００１】
本発明は、水栓から吐出される水を受けるボウルを含む水受部と、その水受部を支持固定するためのキャビネット本体とを備える水回りキャビネットに関する。
【背景技術】
【０００２】
洗面所やキッチンといった水回り空間においては、洗面や手洗関連の小物や化粧関連の小物、調理関連の小物が収納されることが想定されるため、そこに設置される水回りキャビネットには収納スペースの工夫が求められる。例えば、水栓から吐出される水を受けるボウルを含む水受部と、その水受部を支持固定するためのキャビネット本体とを備える水回りキャビネットである化粧台の上方には化粧鏡が設置される場合があり、その化粧鏡には鏡の他に様々な収納スペースが設けられている。更には、化粧鏡のみならず化粧台にも収納スペースの工夫をしたものが提案されている（例えば、下記特許文献１参照）。
【先行技術文献】
【特許文献】
【０００３】
【特許文献１】特開２００７−１４３６４６号公報
【発明の概要】
【発明が解決しようとする課題】
【０００４】
ところで、化粧鏡に収納スペースを設けると、その収納スペースには化粧品等が入ったビン類が配置される場合が多い。そのため、比較的高い位置に設けられた収納スペースに配置されたビン類を取り出そうとする際に、そのビン類を取り損ねて落下させてしまい化粧台のボウルに当ててしまう場合がある。このように比較的高い位置からビン類を落下させるとボウルが損傷するおそれがあり、上記特許文献１に記載されているような化粧台の収納スペースを設けた場合にはその収納スペースにボウルの破片が散乱する場合も想定される。
【０００５】
本発明はこのような課題に鑑みてなされたものであり、その目的は、水栓から吐出される水を受けるボウルを含む水受部と、その水受部を支持固定するためのキャビネット本体とを備える水回りキャビネットであって、ボウルが万が一破損した場合であってもより安全性を確保すると共に、有効な収納スペースも確保することができる水回りキャビネットを提供することにある。
【課題を解決するための手段】
【０００６】
上記課題を解決するために本発明に係る水回りキャビネットは、水栓から吐出される水を受けるボウルを含む水受部と、その水受部を支持固定するためのキャビネット本体とを備える水回りキャビネットであって、前記キャビネット本体は、前記水受部を支持し設置面に立設される一対の側方支持部材と、その一対の側方支持部材を繋ぐように設けられる連結部材とを有し、前記連結部材は、前記ボウルの手前側の外表面に沿って形成される方向付け部と、手前側に開口された収納部とを有することを特徴とする。
【０００７】
本発明のように、水栓から吐出される水を受けるボウルを含む水受部と、その水受部を支持固定するためのキャビネット本体とを備える水回りキャビネットは、その上方に化粧鏡ユニットが設置される場合が多く、その化粧鏡ユニットには化粧品などのビン類が収納される。そのため、化粧鏡ユニットに収納されたビン類を取り出す際に誤ってボウルに落下させてしまうことも想定される。そこで本発明では、一対の側方支持部材を繋ぐように設けられる連結部材を有し、その連結部材はボウルの手前側の外表面に沿って形成される方向付け部を有することで、万が一ボウルが破損した場合であっても対応できるように構成している。具体的には、化粧鏡ユニットから落下したビン類はボウルの手前側に落下しやすい傾向にあるので、その手前側の外表面に沿って方向付け部を形成することで、ボウルが万が一破損しても、より安全な方向へ破片を向わせることができる。また、その方向付け部を有する連結部材には収納部も形成しているので、ボウルの手前側の空間を有効に活用することができる。
【０００８】
また本発明に係る水回りキャビネットでは、前記収納部は、前記一対の側方支持部材に沿って設けられる一対の側方立壁と、その一対の側方立壁の間に設けられる中間立壁とを有し、前記中間立壁の幅は前記一対の側方立壁それぞれの幅よりも広くなるように形成されていることも好ましい。
【０００９】
本発明に係る水回りキャビネットでは、連結部材の下方に複数の収納空間を仕切る場合が多く、その複数の収納空間は間口方向において連立する場合があり、それぞれに扉部材が設けられるものである。そこでこの好ましい態様では、収納部の中間立壁を幅広に形成することで、中間立壁の間口方向の一端から他端の間において、間口方向に連立する収納空間を隠蔽する扉の突合せ部分を位置させることができるので、様々な収納空間の形成態様に一つの連結部材で対応することができる。
【発明の効果】
【００１０】
本発明によれば、水栓から吐出される水を受けるボウルを含む水受部と、その水受部を支持固定するためのキャビネット本体とを備える水回りキャビネットであって、ボウルが万が一破損した場合であってもより安全性を確保すると共に、有効な収納スペースも確保することができる水回りキャビネットを提供することができる。
【図面の簡単な説明】
【００１１】
【図１】本発明の実施形態である化粧台キャビネットに化粧鏡キャビネットを取り付けた状態を示す側面図である。
【図２】図１に示す連結部材の正面図である。
【図３】図１に示す連結部材の平面図である。
【図４】図２のＡ−Ａ断面図である。
【図５】本発明の実施形態である化粧台キャビネットの扉の一形態を示す図である。
【図６】本発明の実施形態である化粧台キャビネットの扉の一形態を示す図である。
【発明を実施するための形態】
【００１２】
以下、添付図面を参照しながら本発明の実施の形態について説明する。説明の理解を容易にするため、各図面において同一の構成要素に対しては可能な限り同一の符号を付して、重複する説明は省略する。
【００１３】
図１は、本発明の実施形態である化粧台キャビネットＬＤ（水回りキャビネット）に化粧鏡キャビネットＬＭを取り付けた状態を示す側面図である。図１に示すように、化粧台キャビネットＬＤは、キャビネット本体ＣＢと、洗面器Ｌ（ボウル、水受部）と、連結部材１０とを備えている。キャビネット本体ＣＢは、所定の間隔をおいて床面（設置面）に立設される一対の側方支持部材３５，３５と、一対の側方支持部材３５の間に設けられる底板３２、裏板３３、蹴込板３４と、扉ＬＢＡとを備えている。
【００１４】
キャビネット本体ＣＢの一対の側方支持部材３５，３５の上には水受部としての洗面器Ｌが戴置される。洗面器Ｌの前方であって扉ＬＢＡの裏側には、一対の側方支持部材３５，３５を繋ぐ連結部材１０が設けられている。連結部材１０は、洗面器Ｌの手前側部分Ｌａの外表面に沿って形成される方向付け部１０１と、戴置部１０２と、奥壁部１０３とを有している。
【００１５】
化粧台キャビネットＬＤの上方には化粧鏡キャビネットＬＭが設置される。化粧鏡キャビネットＬＭは、キャビネット本体ＬＢと、水栓ＦＣと、照明装置ＬＴとを備えている。キャビネット本体ＬＢは、樹脂成形によって形成されており、収納棚ＬＭａが多段に設けられている。水栓ＦＣからは水が吐出可能なように構成されており、水栓ＦＣから吐出された水は洗面器Ｌが受け止めるように構成されている。
【００１６】
化粧鏡キャビネットＬＭの上方の収納棚ＬＭａには化粧品等のビン類が収納される場合があり、そのビン類を取ろうとする際に誤って落としてしまう場合がある。図１の破線に示すように、化粧鏡キャビネットＬＭの上方の収納棚ＬＭａから落下したビン類は洗面器Ｌの手前側部分Ｌａに当たりやすい、しかしながら本実施形態では、洗面器Ｌの手前側部分Ｌａの外表面に沿って方向付け部１０１を形成しているので、万が一洗面器Ｌの手前側部分Ｌａが破損したとしても、その破片を奥側に方向付けることができ、より安全性を確保することができている。
【００１７】
図２に、本実施形態における連結部材１０の正面図を示す。図３には、本実施形態における連結部材１０の平面図を示す。図４には、図２のＡ−Ａ断面図を示す。図２，図３に示すように、連結部材１０には、手前側に開口された収納部１０ａ，１０ｂを有している。収納部１０ａ，１０ｂは、一対の側方立壁３０，３１と、その一対の側方立壁３０，３１の間に設けられる中間立壁２０とを有している。一対の側方立壁３０，３１は、キャビネット本体ＣＢの一対の側方支持部材３５，３５に沿って設けられるものであって、それぞれが対応する側方支持部材３５，３５に固定されるものである。
【００１８】
中間立壁２０の幅は、側方立壁３０，３１のそれぞれの幅よりも広くなるように形成されている。中間立壁２０は、収納部１０ａ側の左側壁部２０２と、収納部１０ｂ側の右側壁部２０１とを有している。図３に示すように、中間立壁２０の裏面側であって左側壁部２０２側には左仕切板固定部２１２が形成され、右側壁部２０１側には右仕切板固定部２１１が形成されている。また、図４に示すように、方向付け部１０１と、戴置部１０２と、奥壁部１０３とは互いに繋がって一体の凹部となるように形成されており、この凹部が収納部１０ａ，１０ｂとなっている。
【００１９】
このとき、図４に示したように載置部１０２は化粧台キャビネットＬＤの奥方向に向かって傾斜している。これにより、収納部１０ａ，１０ｂへの物の収容、取出し時に斜め上方からアプローチすることが可能となり、使い勝手が向上する。また、扉ＬＢＡを勢いよく開閉するなど、キャビネット本体ＣＢへ衝撃を加えた場合に、前方方向へ収納物が転落してしまう恐れを低減できる。なお、物の転落をより確実に防止したい場合は、収納部１０ａ，１０ｂ前部、つまり側方立壁３０、３１の間にガードバーを設けてもよい。
【００２０】
図５は、連結部材１０における左仕切板固定部２１２に仕切板を取り付けた場合の化粧台キャビネットＬＤを示す正面図である。図６は、連結部材１０における右仕切板固定部２１１に仕切板を取り付けた場合の化粧台キャビネットＬＤを示す正面図である。
【００２１】
図５に示すように、左仕切板固定部２１２に仕切板を取り付けた場合、左側の引出前板ＣＢａの右端は中間立壁２０の左側壁部２０２近傍に位置する。また、右側の引出前板ＣＢｂ，ＣＢｃの左端も中間立壁２０の左側壁部２０２近傍に位置する。従って、左側の引出前板ＣＢａを引き出すと収納部１０ａの前方も全開され、収納部１０ａに収納した物品を容易に取り出すことができる。また、右側の引出前板ＣＢｂ，ＣＢｃを引き出すと、収納部１０ｂの前方及び中間立壁２０の前方も全開され、収納部１０ｂに収納した物品を容易に取り出すことができる。
【００２２】
図６に示すように、右仕切板固定部２１１に仕切板を取り付けた場合、左側の引出前板ＣＢｄ，ＣＢｅの右端は中間立壁２０の右側壁部２０１近傍に位置する。また、右側の扉ＣＢｆの左端も中間立壁２０の右側壁部２０１近傍に位置する。従って、左側の引出前板ＣＢｄ，ＣＢｅを引き出すと収納部１０ａ及び中間立壁２０の前方も全開され、収納部１０ａに収納した物品を容易に取り出すことができる。また、右側の扉ＣＢｆを開くと、収納部１０ｂの前方が全開され、収納部１０ｂに収納した物品を容易に取り出すことができる。
【００２３】
図５及び図６に示すように、中間立壁２０の幅を利用することで、この中間立壁２０の間に引出前板や扉の境界を設けることができ、様々な引出の幅や扉の幅を設けたとしても、収納部１０ａ，１０ｂに収納した物品を容易に取り出すことができる。
【符号の説明】
【００２４】
ＬＭ：化粧鏡キャビネット
ＬＤ：化粧台キャビネット
ＬＴ：照明装置
ＬＭａ：収納棚
ＦＣ：水栓
Ｌ：洗面器
Ｌａ：手前側部分
ＣＢ：キャビネット本体
ＬＢＡ：扉
１０：連結部材
１０１：方向付け部
１０２：戴置部
１０３：奥壁部
１０ａ：収納部
１０ｂ：収納部
２０：中間立壁
２０１：右側壁部
２０２：左側壁部
２１１：右仕切板固定部
２１２：左仕切板固定部
３０：側方立壁
３１：側方立壁
ＣＢａ：引出前板
ＣＢｂ：引出前板
ＣＢｃ：引出前板
ＣＢｄ：引出前板
ＣＢｅ：引出前板
ＣＢｆ：引出前板
【図１】
2011072484.tif 000003
【図２】
2011072484.tif 000004
【図３】
2011072484.tif 000005
【図４】
2011072484.tif 000006
【図５】
2011072484.tif 000007
【図６】
2011072484.tif 000008